(57)【特許請求の範囲】
【請求項１】
乗客コンベアのステップに形成された貫通孔に当該貫通孔の一方側から突出部材を挿入して取り付けられたガイドシューを取り外す乗客コンベアのガイドシュー取り外し方法において、
前記貫通孔の他方側から前記ガイドシューの前記突出部材に接触して当該突出部材を当該貫通孔から押し出すために当該貫通孔内に挿入可能とした押し出し部と、前記押し出し部が前記貫通孔内に挿入される長さを規制する挿入規制部と、を有するガイドシュー取り外し治具を用い、
前記挿入規制部によって規制される長さまで前記貫通孔の他方側から前記押し出し部を挿入し、前記貫通孔から前記突出部材を押し出して当該ガイドシューを取り出すものであり、取り外す当該ガイドシューの構造を、弾性変形可能な支持部材を有し、当該支持部材の自由端側に前記突出部材が設けられたタイプとすることを特徴とする乗客コンベアのガイドシュー取り外し方法。
【請求項２】
請求項１記載の乗客コンベアのガイドシュー取り外し方法において、
前記ガイドシューは、前記突出部材が前記貫通孔の内壁面に非接触な状態で取り付けられていることを特徴とする乗客コンベアのガイドシュー取り外し方法。
【請求項３】
請求項２記載の乗客コンベアのガイドシュー取り外し方法において、
前記ガイドシューが取り付けられる板状部材には、乗客コンベアのステップの側方に設けられるスカートガード側に形成した位置決め部と、前記位置決め部よりも反スカートガード側に形成した前記貫通孔と、が設けられ、
前記ガイドシューには、前記スカートガードと摺接する摺接部を一方側に設けた基部と、前記基部の他方側に前記板状部材を挟むことが可能なように対向配置した一対の対向部材と、前記一対の対向部材間に設けられて前記位置決め部に嵌合して位置を決める嵌合部と、前記基部の前記他方側に前記一対の対向部材よりも長くした自由端を有して弾性変形可能な前記支持部材と、前記支持部材の自由端側に設けられて前記位置決め部と前記嵌合部とが嵌合した時、前記貫通孔の平面的な形状よりも小さな形状を有して前記貫通孔内に非接触状態で挿入される前記突出部材と、が設けられ、
前記ガイドシューの取り外しの際に、前記支持部材を弾性変形させながら前記突出部材を前記貫通孔から押し出した状態で、前記板状部材を前記一対の対向部材間に挟み込んだ当該ガイドシューを前記スカートガード側に取り外すことを特徴とする乗客コンベアのガイドシュー取り外し方法。
【請求項４】
請求項１〜３の何れか１項記載の乗客コンベアのガイドシュー取り外し方法において、
前記ガイドシューは複数の前記突出部材を有し、前記突出部材の位置に対応して前記貫通孔が複数設けられ、前記貫通孔の位置に対応して前記押し出し部が複数設けられたことを特徴とする乗客コンベアのガイドシュー取り外し方法。
【請求項５】
乗客コンベアのステップに形成された貫通孔に当該貫通孔の一方側から突出部材を挿入して取り付けられたガイドシューを取り外す乗客コンベアのガイドシュー取り外し方法において、
前記貫通孔の他方側から前記ガイドシューの前記突出部材に接触して当該突出部材を当該貫通孔から押し出すために当該貫通孔内に挿入可能とした押し出し部と、前記押し出し部が前記貫通孔内に挿入される長さを規制する挿入規制部と、を有するガイドシュー取り外し治具を用い、
前記挿入規制部によって規制される長さまで前記貫通孔の他方側から前記押し出し部を挿入し、前記貫通孔から前記突出部材を押し出して当該ガイドシューを取り出すものであり、取り外す当該ガイドシューの構造を、複数の前記突出部材を有するタイプとし、前記突出部材の位置に対応して前記貫通孔が複数設けられ、前記貫通孔の位置に対応して前記押し出し部が複数設けられたことを特徴とする乗客コンベアのガイドシュー取り外し方法。
【請求項６】
乗客コンベアのステップに形成された貫通孔に当該貫通孔の一方側から突出部材を挿入して取り付けられたガイドシューを取り外すために使用する乗客コンベアのガイドシュー取り外し治具において、
前記貫通孔の他方側から前記ガイドシューの前記突出部材に接触して前記突出部材を前記貫通孔から押し出すために前記貫通孔内に挿入可能とした押し出し部と、前記押し出し部が前記貫通孔内に挿入される長さを規制する挿入規制部と、を有し、且つ当該押し出し部を複数有することを特徴とする乗客コンベアのガイドシュー取り外し治具。
【請求項７】
乗客コンベアのステップに形成された貫通孔に当該貫通孔の一方側から突出部材を挿入して取り付けられたガイドシューを取り外すために使用する乗客コンベアのガイドシュー取り外し治具において、
前記貫通孔の他方側から前記ガイドシューの前記突出部材に接触して前記突出部材を前記貫通孔から押し出すために前記貫通孔内に挿入可能とした押し出し部と、前記押し出し部が前記貫通孔内に挿入される長さを規制する挿入規制部と、を有し、取り外す当該ガイドシューの構造として、弾性変形可能な支持部材を有し、当該支持部材の自由端側に前記突出部材が設けられたタイプに適用されることを特徴とする乗客コンベアのガイドシュー取り外し治具。
【請求項８】
請求項７記載の乗客コンベアのガイドシュー取り外し治道具において、
前記押し出し部を複数有することを特徴とする乗客コンベアのガイドシュー取り外し治具。
【発明の詳細な説明】
【技術分野】
【０００１】
本発明は、エスカレータや動く歩道等の乗客コンベアのガイドシュー取り外し方法及びガイドシュー取り外し治具に関する。
【背景技術】
【０００２】
本技術分野の背景技術として、特開２０１１−１９００４３号公報（特許文献１）がある。この公報には、ステップのブラケットにガイドシューを取り付け、ガイドシューをスカートガードの表面に摺接させて、ステップの左右方向の動きを規制した乗客コンベアが記載されている。
【先行技術文献】
【特許文献】
【０００３】
【特許文献１】特開２０１１−１９００４３号公報
【発明の概要】
【発明が解決しようとする課題】
【０００４】
しかしながら、特許文献１に記載された乗客コンベアでは、補強板に形成された係合孔に、ガイドシューに設けられた係止爪を係合させる取り付け構造としていたため、取り付けや取り外しの際には、爪部を摘んで中心側に閉じるように力を加え外径を小さくした状態を保持しながら行う必要があった。このため、繰り返しの使用などによって爪部が折れたりして、結局、作業性が悪いものとなっていた。爪部に代えてボルトを使用する構成も示されているが、ボルトの着脱が面倒であり、結局、作業性を改善することができなかった。
【０００５】
そこで、本発明は、ガイドシュー取り外し作業が容易な乗客コンベアのガイドシュー取り外し方法及びガイドシュー取り外し治具を提供する。
【課題を解決するための手段】
【０００６】
上記課題を解決するために、本発明の第１の手段は、乗客コンベアのステップに形成された貫通孔に当該貫通孔の一方側から突出部材を挿入して取り付けられたガイドシューを取り外す乗客コンベアのガイドシュー取り外し方法において、前記貫通孔の他方側から前記ガイドシューの前記突出部材に接触して当該突出部材を当該貫通孔から押し出すために当該貫通孔内に挿入可能とした押し出し部と、前記押し出し部が前記貫通孔内に挿入される長さを規制する挿入規制部と、を有するガイドシュー取り外し治具を用い、前記挿入規制部によって規制される長さまで前記貫通孔の他方側から前記押し出し部を挿入し、前記貫通孔から前記突出部材を押し出して当該ガイドシューを取り出すものであり、取り外す当該ガイドシューの構造を、弾性変形可能な支持部材を有し、当該支持部材の自由端側に前記突出部材が設けられたタイプとすることを特徴とする。
【０００７】
また、上記課題を解決するために、本発明の第２の手段は、乗客コンベアのステップに形成された貫通孔に当該貫通孔の一方側から突出部材を挿入して取り付けられたガイドシューを取り外す乗客コンベアのガイドシュー取り外し方法において、前記貫通孔の他方側から前記ガイドシューの前記突出部材に接触して当該突出部材を当該貫通孔から押し出すために当該貫通孔内に挿入可能とした押し出し部と、前記押し出し部が前記貫通孔内に挿入される長さを規制する挿入規制部と、を有するガイドシュー取り外し治具を用い、前記挿入規制部によって規制される長さまで前記貫通孔の他方側から前記押し出し部を挿入し、前記貫通孔から前記突出部材を押し出して当該ガイドシューを取り出すものであり、取り外す当該ガイドシューの構造を、複数の前記突出部材を有するタイプとし、前記突出部材の位置に対応して前記貫通孔が複数設けられ、前記貫通孔の位置に対応して前記押し出し部が複数設けられたことを特徴とする。
【発明の効果】
【０００８】
本発明の乗客コンベアのガイドシュー取り外し方法およびガイドシュー取り外し治具によれば、ガイドシュー取り外し作業が容易となる。
【図面の簡単な説明】
【０００９】
【図１】本発明の一実施の形態によるガイドシュー取り外し方法を採用する乗客コンベアの要部斜視図である。
【図２】図１に示したステップの側面図である。
【図３】図１に示した乗客コンベアの要部を断面した正面図である。
【図４】図１に示した補強板へのガイドシューの取り付け途中状態を示す要部斜視図である。
【図５】図４に示したガイドシューを拡大した斜視図である。
【図６】図１に示した補強板へのガイドシューの取り付け状態を示す断面図である。
【図７】本発明の一実施の形態による乗客コンベアのガイドシュー取り外し治具を示す斜視図である。
【図８】図７に示したガイドシュー取り外し治具の寸法関係を示す要部拡大図である。
【図９】図７に示したガイドシュー取り外し治具の使用初期状態を示す側面図である。
【図１０】図７に示したガイドシュー取り外し治具の使用初期状態を示す上面図である。
【図１１】図７に示したガイドシュー取り外し治具の使用途中状態を示す上面図である。
【発明を実施するための形態】
【００１０】
以下、本発明の実施の形態を図面に基づいて説明する。
【実施例１】
【００１１】
図１は、本発明の一実施の形態によるガイドシュー取り外し方法を採用する乗客コンベアを示す要部斜視図である。
【００１２】
ここでは乗客コンベアの一例としてエスカレータを示す。この乗客コンベアは、建屋の各階床の床面に設置された乗降床１と、無端状に連結されて下階の乗降床１と上階の乗降床１との間を循環移動する複数のステップ２と、下階の床面と上階の床面との間に架け渡されて乗客コンベア全体を支持する図示しないフレームと、ステップ２の移動方向に沿って配置され上述したフレームに取り付けた欄干３と、欄干３の外周に沿って配置されステップ２と同一方向に循環移動する移動手摺り４と、欄干３の下部に備えられ上述したフレームに取り付けたスカートガード５とを備えている。スカートガード５はステップ２の側方に位置している。
【００１３】
図２は、図１に示した乗客コンベアのステップを示す側面図である。
【００１４】
ステップ２は、乗客が乗るクリート６と、隣りのステップ２との間の段差部分を構成するライザー７と、これらクリート６及びライザー７の側部付近に配置された三角ブラケット８と、クリート６と三角ブラケット８とを連結する補強板９と、前軸１０を介して三角ブラケット８に回転可能に支持された前ローラ１１と、後軸１２を介して三角ブラケット８に回転可能に支持された後ローラ１３と、補強板９の端部に取り付けられて三角ブラケット８の外面側に配置されたガイドシュー１４とから構成している。クリート６及びライザー７はステンレス鋼を使用して形成され、三角ブラケット８及び補強板９は、薄板鋼板を使用して形成されている。これらの各部材は、独立の部品として製作された後、クリート６とライザー７、及びクリート６と補強板９、補強板９と三角ブラケット８とは、ボルトなどの結合部材を使用して一体に組み立てられる。
【００１５】
図３は、図１に示した乗客コンベアの要部を断面した正面図である。
【００１６】
上述した乗客コンベアは、下階の床面と上階の床面との間に架け渡されて全体を支持するフレーム１５を有しており、このフレーム１５に欄干３及びスカートガード５が支持されている。またフレーム１５には、欄干３の内側に位置してステップ２の前ローラ１１を案内する案内レール１６が固定され、この案内レール１６の下方側にはステップ２の後ローラ１３を案内する案内レール１７が固定されている。ステップ２の補強板９には、詳細を後述するガイドシュー１４が取り外し可能に保持され、このガイドシュー１４におけるスカートガード５側の面がスカートガード５に摺接されている。
【００１７】
図４は、補強板９とガイドシュー１４を分解して示す斜視図である。
【００１８】
補強板９は、板状部材であり、図２に示したクリート６と三角ブラケット８とを連結可能な所要の形状に折り曲げて形成されており、スカートガード５側に面する端部には、ガイドシュー１４の取り付け位置を規制するため切り欠き等の位置決め部１８が形成されている。この位置決め部１８の形状は、補強板９の加工を容易にすると共に、応力集中を抑制するために、半円形又は角部に丸みを付けたほぼ四角形に成されている。また、補強板９において、位置決め部１８の形成位置よりも反スカートガード５側の位置には、ガイドシュー１４を保持するための２つの貫通孔１９，２０が上下に並んで形成されている。この貫通孔１９，２０は、円形であるが、楕円、四角形、その他の形状であっても良い。詳細を後述するように、これらの位置決め部１８及び貫通孔１９，２０を利用してガイドシュー１４が取り外し可能に保持されることになる。
【００１９】
図５は、図４に示したガイドシュー１４を拡大して示す斜視図である。
【００２０】
ガイドシュー１４は、スカートガード５側に面することになる摺接部２１を有してほぼ円板状に形成された基部２２を有している。この基部２２の反スカートガード５側となる裏面側には、補強板９に形成した位置決め部１８に嵌合する形状とした嵌合部２３と、嵌合部２３の一方の側部に位置し嵌合部２３よりも大きな形状としたブロック状の対向部材２４と、嵌合部２３の他方の側部に位置して対向部材２４と対を成して補強板９を挟み込むブロック状の対向部材２５と、対向部材２５よりも長く延ばした自由端を有した薄板状の一対の支持部材２６，２７と、支持部材２６，２７の自由端側に一体的に形成した一対の突出部材２８，２９とを有している。
【００２１】
一対の支持部材２６，２７における基部２２側は、対向部材２５と一体的に形成しても良いが、両者の間に切り込んだスリット３０によって一対の支持部材２６，２７における自由端側は対向部材２５と分離されている。このスリット３０によって分離された支持部材２５，２６の自由端側には、それぞればねアクションあるいは柔軟性が付与されており、弾性変形が可能となっている。突出部材２８，２９は、支持部材２５，２６の弾性変形を利用して、補強板９に形成した貫通孔１９，２０内に挿入したり、また貫通孔１９，２０から引き出すことが可能となっている。
【００２２】
突出部材２８，２９のうち貫通孔１９，２０内に挿入されることになる部分は、貫通孔１９，２０が円形である場合、ストレートの円柱状または円筒状であり、その外径（外形）を貫通孔１９，２０よりも（貫通孔１９，２０の径よりも）若干小さくしている。また突出部材２８，２９のうち貫通孔１９，２０内に挿入されることになる部分は、貫通孔１９，２０が円形以外の他の形状である場合は、対応する形状で、外形を貫通孔１９，２０よりも若干小さくする。図示した突出部材２８，２９は、支持部材２６，２７への結合基部から先端部までストレートの円柱状であり、その軸長は補強板９の厚みと同等あるいは若干長くしてある。このようなガイドシュー１４は、例えばポリアセタール樹脂やポリテトラフルオロエチレン樹脂等のように、低摩擦にして適度の弾性を有する材料を使用して一体に成形されている。
【００２３】
ここでは、一対の支持部材２６，２７を使用し、それぞれの先端部に突出部材２８，２９を設けているが、一方の支持部材２７と突出部材２９を省略し、これに合わせて補強板９の貫通孔２０も省略しても良い。あるいは、貫通孔１９，２０を３つ以上とし、それに対応させて支持部材２６，２７や突出部材２８，２９を３つ以上としても良い。尚、貫通孔１９，２０等は、２つ以上であった方が回転方向の移動を規制できるため望ましい。
【００２４】
ガイドシュー１４の摺接部２１は、図３から分かるようにスカートガード５と摺接することになり、乗客コンベアの運転時間に応じて摩耗する。そこで、作業員は、この摩耗状況を点検し、その程度に応じてガイドシュー１４を交換することになる。このときの作業員の判定を助けるために、図示を省略しているがガイドシュー１４の摺接部２１に摩耗検出用溝を形成するのが望ましい。このような摩耗検出用溝は、摺接部２１の摩耗に応じて摩耗検出用溝の深さが変化するため、検査時期毎に摩耗検出用溝の深さを目視又は指先での接触感覚によって判定し、交換時期を決定することができる。
【００２５】
また、摺接部２１の外周面は角部の面取りが施されている。このようにすると、ガイドシュー１４の摺接部２１がスカートガード５の繋ぎ目等を乗り越えやすくなるので、ガイドシュー１４に加わる外力を緩和でき、異音の発生を防止できると共に、ガイドシュー１４の耐久性を高めることができる。また、上述した摩耗検出用溝の変化による交換時期の判定精度を一層高めることができる。
【００２６】
図６は、取り付け状態のガイドシュー１４を裏面側から見た要部拡大図である。
【００２７】
補強板９へのガイドシュー１４の取り付けが完了した状態では、対向部材２４と対向部材２５との間に補強板９を挟み込んでおり、また、補強板９に形成した貫通孔１９，２０に突出部材２８，２９がそれぞれ挿入されている。
【００２８】
このとき、補強板９に形成した貫通孔１９，２０による内壁面と、突出部材２８，２９の外周面とは非接触状態で略同心的な配置関係となる。ガイドシュー１４にスカートガード５側から通常の力を受けたとしても、貫通孔１９，２０による内壁面と、突出部材２８，２９の外周面とは、非接触状態を保持する。しかし、ガイドシュー１４が補強板９から抜ける方向（例えばスカートガード５の方向）に望まない力が作用した場合には、ガイドシュー１４が僅かに移動しようとすると、突出部材２８，２９の外周面が貫通孔１９，２０による内壁面に接触し、その動きが阻止される。
【００２９】
図７は、乗客コンベアのガイドシュー取り外し治具を示す斜視図である。
【００３０】
ガイドシュー取り外し治具３１は、作業者が手で掴む握り部３２と、握り部３２を含む各構成部分を取り付けた取り付け部３３と、この取り付け部３３の前面側に取り付けた一対の挿入規制部３４，３５と、各挿入規制部３４，３５の前面側にそれぞれ取り付けた押し出し部３６，３７とを有している。握り部３２や取り付け部３３は、図示の形状に限らず様々な形状とすることができる。また、挿入規制部３４，３５や押し出し部３６，３７の数は、貫通孔１９，２０の数に対応していれば良いので、２つに限られず、１つあるいは３つ以上としても良い。
【００３１】
押し出し部３６，３７は、補強板９に形成した貫通孔１９，２０内に挿入した状態の突出部材２８，２９を貫通孔１９，２０から抜き出す方向に移動するために使用するものである。一対の押し出し部３６，３７の間隔は、図６に示した一対の突出部材２８，２９の間隔と同等である。すなわち、一対の押し出し部３６，３７と突出部材２８，２９とが対応する位置関係にある。また押し出し部３６，３７は、貫通孔１９，２０内にそれぞれ挿入可能な径関係である。
【００３２】
一対の挿入規制部３４，３５は、押し出し部３６，３７を貫通孔１９，２０内に挿入するとき、押し出し部３６，３７の挿入量を制限するものである。この挿入規制部３４，３５は、貫通孔１９，２０内に挿入することができない。
【００３３】
図８は、補強板９と、ガイドシュー１４と、ガイドシュー取り外し治具３１とにおける要部の径関係を示す要部拡大断面図である。
【００３４】
同図には、補強板９に形成した貫通孔１９の内壁面の内径をＬ１、貫通孔１９内に挿入した突出部材２８の外径をＬ２、ガイドシュー取り外し治具３１の挿入規制部３５の外径をＬ３、押し出し部３７の外径をＬ４として示している。突出部材２８は、貫通孔１９内に挿入したとき、その外周部を貫通孔１９の内壁面である内径面と非接触状態とするように内径Ｌ１を外径Ｌ２より大きくしている。挿入規制部３５は、貫通孔１９内に挿入されないように外径Ｌ３を内径Ｌ１より大きく、かつ外径Ｌ４より大きくしている。押し出し部３７は、貫通孔１９内に挿入して突出部材２８を押し出し可能にするため外径Ｌ４を内径Ｌ１より小さくしている。また、押し出し部３７の軸長は、補強板９の厚みと同等、もしくは補強板９の厚みより僅かに長い程度である。
【００３５】
図８に示したガイドシュー取り外し治具３１は、押し出し部３７を一方の貫通孔１９内に挿入して使用するとき、図７に示した押し出し部３６を他方の貫通孔２０内に挿入して使用する。そこで、補強板９に形成した他方の貫通孔２０と、この貫通孔２０内に挿入した突出部材２９と、ガイドシュー取り外し治具３１の挿入規制部３４および押し出し部３６との寸法関係も上述した構成と同様であるが、ここでの説明を省略する。
【００３６】
次に、補強板９にガイドシュー１４を取り付ける方法について説明する。
【００３７】
先ず、図４に示すようにガイドシュー１４の対向部材２４と、対向部材２５との間に補強板９が位置するようにガイドシュー１４を補強板９に挿入する。このとき、ガイドシュー１４を挿入しながら、補強板９の位置決め部１８に嵌合部２３が合致するように嵌め込む。この挿入作業は、支持部材２６，２７に形成した突出部材２８，２９がガイドシュー１４の挿入を妨げないように、例えば、支持部材２６，２７の突出部材２８，２９側を補強板９から離れる方向に変形させて行う。
【００３８】
この挿入作業が進んで、補強板９の位置決め部１８に嵌合部２３が合致するように嵌め込まれると、突出部材２８，２９が補強板９に形成した貫通孔１９，２０に対応した位置となる。言い換えると、突出部材２８，２９が貫通孔１９，２０内に正しい位置関係で挿入されると、位置決め部１８に嵌合部２３が正しく嵌合されたことになる。また、ガイドシュー１４は、対向部材２４と対向部材２５間にしっかりと補強板９を挟み込んで、補強板９に取り付けられる。
【００３９】
ガイドシュー１４の取り付けが完了した状態では、図６から分かるように補強板９に形成した貫通孔１９，２０による内壁面と、突出部材２８，２９の外周面とは非接触状態で略同心的な配置関係である。この状態で、補強板９に取り付けたガイドシュー１４の摺接部２１は、スカートガード５に摺接されることになり、固定位置の精度が高いスカートガード５を基準にして、ステップ２をその進行方向に精度良く案内することができる。また、摺接部２１を有するガイドシュー１４は、スカートガード５との接触によって力を受ける。しかし、上述したように補強板９の位置決め部１８に嵌合部２３をぴったりと接触させているため、同接触部全体でこの力を受けることになる。従って、貫通孔１９，２０による内壁面と、突出部材２８，２９の外周面とは、図６に示すように非接触状態を保持する。
【００４０】
一方、ガイドシュー１４が補強板９から抜ける方向に望まない力が作用した場合には、ガイドシュー１４が僅かに移動しようとするが、突出部材２８，２９の外周面が貫通孔１９，２０による内壁面に接触し、その動きが阻止される。従って、ガイドシュー１４が補強板９から脱落するのを防止することができる。
【００４１】
図４に示した補強板９に形成した位置決め部１８はほぼ四角形であるから、位置決め部１８に取り付けられるガイドシュー１４の嵌合部２３も同様の四角形としているが、位置決め部１８が半円形または角部に丸みが付けられた四角形に形成した場合は、嵌合部２３も同様に半円形または角部に丸みが付けられた四角形に形成する。このような構成とすることにより、補強板９は、ガイドシュー１４の摺接部２１側から外力が作用しても、これを位置決め部１８によって効果的に受けることができる。
【００４２】
このような乗客コンベアによれば、補強板９の位置決め部１８とガイドシュー１４の嵌合部２３との嵌め合いによって、ガイドシュー１４の取り付け精度を高め、スカートガード５によって精度良くステップ２を案内することができるので、乗客コンベアの耐久性及び信頼性を高めることができる。
【００４３】
また、前記先行技術では、貫通孔１９，２０内に挿入した爪を有するスナップ連結構造部の外周面が貫通孔１９，２０による内壁面に圧接するようするか、ボルトにより取り付けを行っていた。従って、ガイドシュー１４を取り外す場合は、スナップ連結による圧接を解除したりボルトを取り外す作業が必要になり、作業中に爪が折れたりボルトを緩める必要があったりするなどして面倒な作業となっていた。これに対して、本乗客コンベアは、定常状態では貫通孔１９，２０による内壁面と、突出部材２８，２９の外周面とは非接触状態を保持しているため、後述するようにガイドシュー１４を取り外す作業を簡単に行うことができる。
【００４４】
次に、ガイドシュー１４を取り外す方法について説明する。
【００４５】
ガイドシュー１４の取り外し作業は、図７に示したガイドシュー取り外し治具３１を用いて行う。作業員は、ガイドシュー取り外し治具３１の握り部３２を手で掴み、先端部の押し出し部３６，３７を、補強板９に形成した貫通孔１９，２０内に挿入されている突出部材２８，２９の先端部側に対向して配置する。このときのガイドシュー取り外し治具３１とガイドシュー１４の位置関係は、一部分を断面した側面図である図９と、一部分を断面した上面図である図１０に示されている。
【００４６】
次に、作業者は、押し出し部３６，３７を突出部材２８，２９に近づけて接触させ、押し出し部３６，３７が貫通孔１９，２０内に位置していることを確認する。上述したように押し出し部３６，３７の外径Ｌ４は、貫通孔１９，２０の内径Ｌ１より小さい。このため、作業者は、押し出し部３６，３７を突出部材２８，２９に接触させながら貫通孔１９，２０内に容易に位置させることができる。ここで、押し出し部３６，３７の外径Ｌ４を、突出部材２８，２９の外径Ｌ２よりも小さくすれば、さらに挿入を行いやすくなるので好ましい。次いで、作業者は握り部３２側から力を与えると、押し出し部３６，３７は突出部材２８，２９が設けられた支持部材２６，２７を弾性変形させて押し出しながら、貫通孔１９，２０内に挿入される。
【００４７】
上述したように挿入規制部３４，３５の外径Ｌ３は、貫通孔１９，２０の内径Ｌ１より大きいので、押し出し部３６，３７の挿入は、図１１に示すように挿入規制部３４，３５が補強板９の側壁に接触して規制される。押し出し部３６，３７の挿入作業が完了した状態では、図１１に示すように押し出し部３６，３７によってガイドシュー１４の突出部材２８，２９を貫通孔１９，２０から完全に押し出している。
【００４８】
その後、作業者が、握り部３２側からより大きな力を与えたとしても、挿入規制部３４，３５が補強板９の側壁に接触してそれ以上の挿入を規制しているので、突出部材２８，２９が設けられた支持部材２６，２７を必要以上に変形させることはない。したがって、押し出し部３７の軸長は、突出部材２８，２９を貫通孔１９，２０から完全に押し出しできるよう補強板９の厚み（すなわち貫通孔の深さ）と同等以上であり、かつ、必要以上に支持部材２６，２７を変形させることがないよう、補強板９の厚みと同等、もしくは補強板９の厚みより僅かに長い程度（例えば貫通孔の深さの１．５倍以下）であることが望ましい。図１１の状態で、押し出し部３６，３７の軸長は補強板９の厚みとほぼ同等であるから、支持部材２６，２７の弾性変形による復元力によって再び突出部材２８，２９が貫通孔１９，２０内に挿入されることはない。作業者は、この状態で、ガイドシュー１４の基部２２側を掴みながら矢印方向に引き出すと、ガイドシュー１４を補強板９から簡単に取り外すことができる。
【００４９】
ガイドシュー１４は、一対の突出部材２７，２８を一対の貫通孔１９，２０内に挿入して、補強板９へ保持している。ガイドシュー取り外し治具３１は、これに合わせて一対の押し出し部３６，３７を有しているため、一対の突出部材２８，２９を同時に貫通孔１９，２０内から容易に押し出すことができる。
【００５０】
その後、取り外したガイドシュー１４を、新品のガイドシュー１４に交換する場合は、上述した取り付け方法に従って作業を行う。
【００５１】
このようなガイドシュー取り外し方法によれば、貫通孔１９，２０と、この貫通孔１９，２０内に挿入した突出部材２８，２９とが、非接触状態でほぼ同心円上に配置している構成を巧みに利用することができる。つまり、両者を非接触状態としているので、簡単な構成の押し出し部３６，３７を使用して、突出部材２８，２９を貫通孔１９，２０内から押し出すことができる。
【００５２】
しかも、貫通孔１９，２０は円形であり、ガイドシュー１４に設けた突出部材２８，２９は円柱状または円筒状とすると、押し出し部３６，３７も単純な形の円柱状または円筒状とすることができる。このため、ガイドシュー取り外し治具３１は極めて簡単な構成となる。しかし、貫通孔１９，２０等の形状は円形に限らず、楕円形、四角形、その他の類似形状であっても同様の効果が得られる。
【００５３】
このように、本発明の乗客コンベアのガイドシュー取り外し方法は、乗客コンベアのステップ２に形成された貫通孔１９，２０に、前記貫通孔１９，２０の一方側から突出部材２８，２９を挿入して取り付けられたガイドシューを１４取り外す乗客コンベアのガイドシュー取り外し方法において、前記貫通孔１９，２０の他方側から前記ガイドシュー１４の前記突出部材２８，２９に接触して前記突出部材２８，２９を前記貫通孔１９，２０から押し出すために前記貫通孔１９，２０内に挿入可能とした押し出し部３６，３７と、前記押し出し部３６，３７が前記貫通孔１９，２０内に挿入される長さを規制する挿入規制部３４，３５とを有するガイドシュー取り外し治具３１を用い、前記挿入規制部３４，３５によって規制される長さまで前記貫通孔１９，２０の他方側から前記押し出し部３６，３７を挿入し、前記貫通孔１９，２０から突出部材２８，２９を押し出して前記ガイドシュー１４を取り外すようにしている。
【００５４】
このような乗客コンベアのガイドシュー取り外し方法によれば、簡単にガイドシュー１４を取り外すことができる。また、挿入規制部３４，３５によって突出部材２８，２９の移動量を制限することができる。
【００５５】
また、乗客コンベアのガイドシュー取り外し治具は、乗客コンベアのステップに形成された貫通孔に、前記貫通孔の一方側から突出部材を挿入して取り付けられたガイドシューを取り外すために使用する乗客コンベアのガイドシュー取り外し治具において、前記貫通孔の他方側から前記ガイドシューの前記突出部材に接触して前記突出部材を前記貫通孔から押し出すために前記貫通孔内に挿入可能とした押し出し部と、前記押し出し部が前記貫通孔内に挿入される長さを規制する挿入規制部とを有する構成となっている。
【００５６】
このような乗客コンベアのガイドシュー取り外し治具によれば、簡単にガイドシュー１４を取り外すことができる。また、挿入規制部３４，３５によって突出部材２８，２９の移動量を制限することができる。
【００５７】
上述した本発明の実施の形態では乗客コンベアのガイドシュー取り外し方法として説明したが、本発明はガイドシュー取り外し治具単体でも取り扱うことができる。また、本発明が適用される乗客コンベアは、エスカレータを例に説明したが、動く歩道にも適用することができる。本明細書におけるステップには、エスカレータの踏段や、動く歩道のパレットが含まれる。また、ガイドシューが取り付けられる位置はステップの補強板に限られず、ステップのそれ以外の場所でもよい。この場合でも、ステップに設けられた貫通孔の一方側から突出部材を挿入してガイドシューが取り付けられる。
【００５８】
尚、本発明は、上述した実施例に限定するものではなく、様々な変形例が含まれる。例えば、上述した実施例は本発明を分かり易く説明するために詳細に説明したものであり、必ずしも説明した全ての構成を備えるものに限定するものではない。またある実施例の構成の一部を他の実施例の構成に置き換えることが可能であり、また、ある実施例の構成に他の実施例の構成を加えることも可能である。また、各実施例の構成の一部について、他の構成の追加、削除、置換をすることが可能である。
【符号の説明】
【００５９】
２  ステップ
５  スカートガード
９  補強板
１４  ガイドシュー
１８  位置決め部
１９，２０  貫通孔
２１  摺接部
２２  基部
２３  嵌合部
２４，２５  対向部材
２６，２７  支持部材
２８，２９  突出部材
３０  スリット
３１  ガイドシュー取り外し治具
３３  取り付け部
３４，３５  挿入規制部
３６，３７  押し出し部
【図１】
0005848195.tif 000002
【図２】
0005848195.tif 000003
【図３】
0005848195.tif 000004
【図４】
0005848195.tif 000005
【図５】
0005848195.tif 000006
【図６】
0005848195.tif 000007
【図７】
0005848195.tif 000008
【図８】
0005848195.tif 000009
【図９】
0005848195.tif 000010
【図１０】
0005848195.tif 000011
【図１１】
0005848195.tif 000012